(57)【要約】【課題】  デジタルカメラからＰＣに画像を取り込む際に自動的に分類して取り込むことができるようにする。【解決手段】  ＰＣがカメラから受信した画像ファイル４０には、画像データ４１と付加データ４２がある。付加データ４２には、メモ１，２，３，４がある。ここで、メモ１はドライブ名に、メモ２、メモ３はフォルダ名に、メモ４はファイル名に対応させる。そして、これらの対応させた情報を用いてファイルパス名生成プログラム５０により、ファイルパス名のファイル６０を生成する。ＰＣのＨＤＤ等の記憶装置には、生成されたファイルパス名に応じた記憶エリアが用意されており、転送されてきた画像ファイルは、上記生成されたファイルパス名に対応する記憶エリアに保存される。【選択図】  図３
2006262214.tif 000002
【特許請求の範囲】
【請求項１】
画像記録装置と画像処理装置から構成される画像処理システムであって、
前記画像記録装置は、
画像ファイル内に画像データと付加データを記録する記録手段と、
前記画像ファイルを前記画像処理装置に転送する転送手段とを有し、
前記画像処理装置は、
画像記録装置と通信し前記画像ファイルを受信する通信手段と、
前記受信した画像ファイルを記憶する記憶手段と、
前記受信した画像ファイルにおける前記付加データを前記記憶手段の記憶エリアを指定する情報に変換する変換手段と、
前記受信した画像ファイルを前記記憶手段の前記指定された記憶エリアに格納する制御手段とを備えることを特徴とする画像処理システム。
【請求項２】
前記付加データはテキストデータであり、前記変換手段は、前記記憶手段の前記テキストデータと同名のディレクトリを前記記憶エリアとすることを特徴とする請求項１記載の画像処理システム。
【請求項３】
前記付加データは音声認識可能な音声データであり、前記変換手段は、前記音声データを音声認識処理した結果と同名の記憶エリアに変換することを特徴とする請求項１記載の画像処理システム。
【請求項４】
前記付加データは文字認識可能な画像データであり、前記変換手段は、前記画像データを文字認識処理した結果と同名の記憶エリアに変換することを特徴とする請求項１記載の画像処理システム。
【請求項５】
前記付加データはバーコード認識可能な画像データであり、前記変換手段は、前記画像データをバーコード認識した結果と同名の記憶エリアに変換することを特徴とする請求項１記載の画像処理システム。
【請求項６】
前記付加データは緯度・経度からなるＧＰＳデータであり、前記変換手段は、
ＧＰＳデータにより検索した関連データと同名の記憶エリアに画像データを格納すること
を特徴とする請求項１記載の画像処理システム。
【請求項７】
画像記録装置と通信し画像データと付加データが記録された画像ファイルを受信する通信手段と、
前記受信した画像ファイルを記憶する記憶手段と、
前記受信した画像ファイルにおける前記付加データを前記記憶手段の記憶エリアを指定する情報に変換する変換手段と、
前記受信した画像ファイルを前記記憶手段の前記指定された記憶エリアに格納する制御手段とを備えたことを特徴とする画像処理装置。
【請求項８】
前記付加データはテキストデータであり、前記変換手段は、前記記憶手段の前記テキストデータと同名のディレクトリを前記記憶エリアとすることを特徴とする請求項７記載の画像処理装置。
【請求項９】
前記付加データは音声認識可能な音声データであり、前記変換手段は、前記音声データを音声認識処理した結果と同名の記憶エリアに変換することを特徴とする請求項７記載の画像処理装置。
【請求項１０】
前記付加データは文字認識可能な画像データであり、前記変換手段は、前記画像データを文字認識処理した結果と同名の記憶エリアに変換することを特徴とする請求項７記載の画像処理装置。
【請求項１１】
前記付加データはバーコード認識可能な画像データであり、前記変換手段は、前記画像データをバーコード認識した結果と同名の記憶エリアに変換することを特徴とする請求項７記載の画像処理装置。
【請求項１２】
前記付加データは緯度・経度からなるＧＰＳデータであり、前記変換手段は、
ＧＰＳデータにより検索した関連データと同名の記憶エリアに画像データを格納すること
を特徴とする請求項７記載の画像処理装置。
【請求項１３】
画像記録装置と通信し画像データと付加データが記録された画像ファイルを受信する通信処理と、
前記受信した画像ファイルにおける前記付加データを記憶手段の記憶エリアを指定する情報に変換する変換処理と、
前記受信した画像ファイルを記憶手段の前記指定された記憶エリアに格納する制御処理とをコンピュータに実行させるプログラム。
【発明の詳細な説明】
【技術分野】
【０００１】
本発明は、データ入力機能を備えたデジタルスチルカメラからＰＣに画像ファイルを取り込むシステムに用いて好適な画像処理システム、このシステムで用いる画像処理装置及びこの装置で用いるプログラムに関する。
【背景技術】
【０００２】
従来より、一部のデジタルスチルカメラでは、カメラメモと呼ばれる撮影画像に付加データを付加する機能を持つカメラがある。カメラメモでは、ＰＣ等で作成された付加データ一覧(カメラメモ)をカメラに転送、又はメモリカードに記録しておき、撮影時にカメラメモを表示して所望の付加データを選択してから撮影することにより、画像ファイル内に付加データが記録される。また、再生時にカメラメモを選択することもできるし、メモ入力の手間を省くために付加データエリアに音声や画像データを記録することもできる。
このようなカメラの画像転送ソフトでは、予め指定した記憶エリアに画像を取り込むことができる（一発取込み機能）。また、画像閲覧ソフトでは、付加データによるファイル検索を行うことができる（カメラメモ検索機能）。
また、従来より簡単な操作でデータを外部機器に転写可能なデジタルカメラが提案されている（例えば、特許文献１参照）。
【特許文献１】特開２０００−２８７１１５号公報
【発明の開示】
【発明が解決しようとする課題】
【０００３】
従来の上記カメラメモ機能を有するデジタルカメラで撮影した画像をＰＣ等に取り込む場合には、指定のフォルダか新規に作成したフォルダに一括して転送していた。このためＰＣにおいては、画像を取り込んだ後に、その画像を分類する作業を行う必要があり、手間がかかっていた。
本発明は、デジタルカメラからＰＣｎｉ画像を取り込む際に自動的に分類して取り込むことができるようにすることを目的とする。
【課題を解決するための手段】
【０００４】
請求項１記載の発明は、画像記録装置と画像処理装置から構成される画像処理システムであって、前記画像記録装置は、画像ファイル内に画像データと付加データを記録する記録手段と、前記画像ファイルを前記画像処理装置に転送する転送手段とを有し、前記画像処理装置は、画像記録装置と通信し前記画像ファイルを受信する通信手段と、前記受信した画像ファイルを記憶する記憶手段と、前記受信した画像ファイルにおける前記付加データを前記記憶手段の記憶エリアを指定する情報に変換する変換手段と、前記受信した画像ファイルを前記記憶手段の前記指定された記憶エリアに格納する制御手段とを備えることを特徴とする。
【０００５】
請求項２記載の発明は、請求項１記載の発明において、前記付加データはテキストデータであり、前記変換手段は、前記記憶手段の前記テキストデータと同名のディレクトリを前記記憶エリアとすることを特徴とする。
【０００６】
請求項３記載の発明は、請求項１記載の発明において、前記付加データは音声認識可能な音声データであり、前記変換手段は、前記音声データを音声認識処理した結果と同名の記憶エリアに変換することを特徴とする。
【０００７】
請求項４記載の発明は、請求項１記載の発明において、前記付加データは文字認識可能な画像データであり、前記変換手段は、前記画像データを文字認識処理した結果と同名の記憶エリアに変換することを特徴とする。
【０００８】
請求項５記載の発明は、請求項１記載の発明の記載において、前記付加データはバーコード認識可能な画像データであり、前記変換手段は、前記画像データをバーコード認識した結果と同名の記憶エリアに変換することを特徴とする。
【０００９】
請求項６記載の発明は、請求項１記載の発明において、前記付加データは緯度・経度からなるＧＰＳデータであり、前記変換手段は、ＧＰＳデータにより検索した関連データと同名の記憶エリアに画像データを格納することを特徴とする。
【００１０】
請求項７記載の発明は、画像記録装置と通信し画像データと付加データが記録された画像ファイルを受信する通信手段と、前記受信した画像ファイルを記憶する記憶手段と、前記受信した画像ファイルにおける前記付加データを前記記憶手段の記憶エリアを指定する情報に変換する変換手段と、前記受信した画像ファイルを前記記憶手段の前記指定された記憶エリアに格納する制御手段とを備えたことを特徴とする。
【００１１】
請求項８記載の発明は、請求項７記載の発明において、前記付加データはテキストデータであり、前記変換手段は、前記記憶手段の前記テキストデータと同名のディレクトリを前記記憶エリアとすることを特徴とする。
【００１２】
請求項９記載の発明において、請求項７記載の発明において、前記付加データは音声認識可能な音声データであり、前記変換手段は、前記音声データを音声認識処理した結果と同名の記憶エリアに変換することを特徴とする。
【００１３】
請求項１０記載の発明において、請求項７記載の発明において、前記付加データは文字認識可能な画像データであり、前記変換手段は、前記画像データを文字認識処理した結果と同名の記憶エリアに変換することを特徴とする。
【００１４】
請求項１１記載の発明は、請求項７記載の発明において、前記付加データはバーコード認識可能な画像データであり、前記変換手段は、前記画像データをバーコード認識した結果と同名の記憶エリアに変換することを特徴とする。
【００１５】
請求項１２記載の発明は、請求項７記載の発明において、前記付加データは緯度・経度からなるＧＰＳデータであり、前記変換手段は、ＧＰＳデータにより検索した関連データと同名の記憶エリアに画像データを格納することを特徴とする。
【００１６】
請求項１３記載の発明は、画像記録装置と通信し画像データと付加データが記録された画像ファイルを受信する通信処理と、前記受信した画像ファイルにおける前記付加データを記憶手段の記憶エリアを指定する情報に変換する変換処理と、前記受信した画像ファイルを記憶手段の前記指定された記憶エリアに格納する制御処理とをコンピュータに実行させるプログラムを有することを特徴とする。
【発明の効果】
【００１７】
請求項１，７，１３の発明によれば、デジタルカメラから画像を取り込む際に画像ファイル内の付加データにより自動的に記憶エリアを指定することができるので、従来のように取り込んだ画像の分類作業を省略することができる。
【００１８】
請求項２，８の発明によれば、付加データはテキストデータであるので、画像ファイルを記憶手段の前記テキストデータと同名のディレクトリに格納すればよく、処理を簡単にすることができる。
請求項３，９の発明によれば、付加データに音声認識可能な音声データを用いて自動的に記憶エリアを指定することができる。
【００１９】
請求項４，１０の発明によれば、付加データに文字認識可能な画像データを用いて自動的に記憶エリアを指定することができる。
請求項５，１１の発明によれば、付加データにバーコード認識可能な画像データを用いて自動的に記憶エリアを指定することができる。
請求項６，１２の発明によれば、付加データにＧＰＳデータを用いて自動的に記憶エリアを指定することができる。
【発明を実施するための最良の形態】
【００２０】
図１は本発明の実施形態による画像処理システムを示すブロック図である。
本実施形態による画像処理システムは、画像処理装置としてのＰＣ（パーソナルコンピュータ）１０と、画像記録装置としてのカメラ３０で構成される。カメラ３０は、カメラメモ機能を持つデジタルカメラである。カメラメモ機能は、前述したように撮影時又は再生時に付加データを画像ファイルに記録し、この画像ファイルをＰＣに転送するものである。付加データとして音声データや画像データを用いることもできる。
【００２１】
図１において、ＰＣ１０は、プログラムにより処理を行うＣＰＵ１１、プログラムを格納するＲＯＭ１２、ＲＡＭ１３、データを格納するメモリカード１４、ＨＤＤ１５、キーボード／マウス１６による入力制御部１７、ＣＲＴ／ＬＣＤ１８による表示制御部１９、外部機器と通信を行うＵＳＢＩ／Ｆ２０、通信Ｉ／Ｆ２１を備える。上記カメラ３０からのデータ取り込みには、メモリカード１４による受け渡しや、ＵＳＢ２２やＬＡＮ２３等の通信による受け渡しのいづれか１つを具備すればよい。ＵＳＢ２２を用いる場合は、カメラ３０はＵＳＢＩ／Ｆ１０を介して接続される。ＬＡＮ１４を用いる場合は、通信Ｉ／Ｆ２１とカメラ３０が、ＬＡＮ２３、ルータ２４及びインターネット２５を介して接続される。
【００２２】
ＰＣ１０は画像取り込みソフトウェア（ＳＷ）をＲＯＭ１２に備え、ＳＷはＰＣ１０のＯＳ（オペレーティングシステム）の機能により実行される。ＰＣ１０はＨＤＤ１５等の記憶装置を搭載しており、記憶装置は、ＯＳの機能であるファイルシステム（ＦＳ）により記憶エリアとして管理されている。アプリケーションソフトウェアは、ＯＳの提供する機能により記憶エリアにアクセスすることができ、後述するようにドライブ名、フォルダ名、ファイル名からなるファイルパス名により記憶エリアを指定する。
【００２３】
図２に取り込み処理フローを示す。
カメラ３０に転送すべきファイルがある場合は（Ｓ１，ＹＥＳ）、カメラ３０からメモリカード４やＵＳＢＩ／Ｆ１０、通信Ｉ／Ｆ２１を介して処理制御情報等が付加された画像ファイルをＰＣ１０転送する（Ｓ２）。ＰＣ１０は、画像ファイルを受け取ると、付加データの有無を検出する（Ｓ３）。付加データが検出された場合は、その付加データをファイルパス名に変換し（Ｓ４）、ファイルパス名から記憶エリアを指定する。
【００２４】
図３は（Ｓ４）による付加データを記憶エリアを指定するためのファイルパス名に変換する処理の第１の実施形態を示す。
図３において、画像ファイル４０には、画像データ４１と付加データ４２がある。付加データ４２は、メモ１，２，３，４がある。ここで、メモ１はドライブ名に、メモ２、メモ３はフォルダ名に、メモ４はファイル名に対応させる。そして、これらの対応させた情報を用いてファイルパス名生成プログラム５０により、ファイルパス名のファイル６０を生成する。フォルダが存在しない場合はフォルダを作成する。ファイル名が重複する場合は、連続番号をファイル名に追加することにより重複を避けることができる。前記ＨＤＤ１５等の記憶装置には、生成されたファイルパス名に応じた記憶エリアが用意されており、転送されてきた画像ファイルは、生成されたファイルパス名に対応する記憶エリアに保存される（Ｓ５）。保存が成功したら（Ｓ１）で次の転送を待つ。また、（Ｓ３）で付加データがない場合は、デフォルトの記憶エリアに画像ファイルを保存する。
【００２５】
本実施形態によれば、付加データはテキストデータであるので、画像ファイルを記憶手段の前記テキストデータと同名のディレクトリに格納すればよく、処理を簡単にすることができる。
【００２６】
図４は付加データをファイルパス名に変換する処理の第２の実施形態を示す。
図４において、画像ファイル４０の付加データ４２には音声メモ４３が記録されている。音声メモ４３はＰＣＭ等の音声コーデックによりＡＤ変換された音声認識データである。音声認識プログラム７０は入力された音声認識データに基づいて音声認識辞書８０からパターンマッチするデータを探し出し、所定のテキストデータを得る。このテキストデータからファイルパス名９０を生成することができる。
【００２７】
図５は付加データをファイルパス名に変換する処理の第３の実施形態を示す。
図５において、画像ファイル４０の付加データ４２には文字認識画像データ４４が記録されている。文字認識画像データ４４は、認識対象の文字を撮影した画像データである。この画像データは例えば文字板等を撮影して作成してもよいし、予めカメラの記憶媒体に格納しておいてもよい。文字認識プログラム１００は、入力された文字認識画像データ４４に基づいて文字認識辞書１１０からパターンマッチするデータを探し出し、所定のテキストデータを得る。このテキストデータからファイルパス名１２０を生成することができる。
【００２８】
図６は付加データをファイルパス名に変換する処理の第４の実施形態を示す。
図６において、画像ファイル４０の付加データ４２には、バーコード画像認識データ４５が記録されている。バーコード画像認識データ４５はバーコードを撮影した画像データである。バーコード認識プログラム１３０は、入力されたバーコード画像認識データ４５に基づいてバーコーダ認識辞書１４０からパターンマッチするデータを探し出し、所定のテキストデータを得る。このテキストデータからファイルパス名１５０を生成することができる。
【００２９】
図７は付加データをファイルパス名に変換する処理の第５の実施形態を示す。
図７において、画像ファイル４０の付加データ４２には、ＧＰＳデータ４６が記録されている。ＧＰＳデータ４６は、緯度・経度情報が記録されている。住所検索プログラム１６０は、ＧＰＳデータ４６に基づいて住所データベース１７０から住所を検索し、所定のテキストデータを得る。このテキストデータからファイルパス名１８０を生成することができる。住所の外に郵便番号等に変換してもよい。本実施形態によれば、緯度・経度からなるフォルダを作成する場合に比べて利用者にとって分かりやすいといった利便性がある。
【００３０】
なお、本発明は、例えばデジタルカメラと直接接続し印刷が行えるダイレクトプリント対応プリンタに応用することもできる。                                            
【００３１】
また、本実施形態による画像処理装置としてのＰＣ１０の前述した処理を、ＣＰＵ７が実行するためのプログラムは本発明によるプログラムを構成する。このプログラムを記録する記録媒体としては、半導体記憶装置や光学的及び／又は磁気的な記憶装置等を用いることができる。このようなプログラム及び記録媒体を、前述した実施形態とは異なる構成のシステム等で用い、そこのＣＰＵで上記プログラムを実行させることにより、本発明と実質的に同じ効果を得ることができる。
【図面の簡単な説明】
【００３２】
【図１】本発明の実施形態による画像処理システムを示すブロック図である。
【図２】画像取り込み処理を示すフローチャートである。
【図３】本発明の第１の実施形態による付加データをファイルパス名に変換する処理示すブロック図である。
【図４】本発明の第２の実施形態による付加データをファイルパス名に変換する処理示すブロック図である。
【図５】本発明の第３の実施形態による付加データをファイルパス名に変換する処理示すブロック図である。
【図６】本発明の第４の実施形態による付加データをファイルパス名に変換する処理示すブロック図である。
【図７】本発明の第５の実施形態による付加データをファイルパス名に変換する処理示すブロック図である。
【符号の説明】
【００３３】
１０    ＰＣ
１１    ＣＰＵ
１２    ＲＯＭ
１４    メモリカード
１５    ＨＤＤ
２０    ＵＳＢＩ／Ｆ
２１    通信Ｉ／Ｆ
３０    デジタルカメラ（画像記録装置）
４０    画像ファイル
４１    画像データ
４２    付加データ
４３    音声メモ
４４    文字認識画像データ
４５    バーコード画像認識画像データ
４６    ＧＰＳデータ
５０    ファイルパス名生成プログラム
６０    ファイル
７０    音声認識プログラム
８０    音声認識辞書
９０    ファイル
１００    文字認識プログラム
１１０    文字認識辞書
１２０    ファイル
１３０    バーコード認識プログラム
１４０    バーコード認識辞書
１５０    ファイル
１６０    住所検索プログラム
１７０    住所データベース
１８０    ファイル
【図１】
2006262214.tif 000003
【図２】
2006262214.tif 000004
【図３】
2006262214.tif 000005
【図４】
2006262214.tif 000006
【図５】
2006262214.tif 000007
【図６】
2006262214.tif 000008
【図７】
2006262214.tif 000009